(57)【要約】【課題】  片手による文字入力の操作性及び入力効率を高め、入力作業の負担を軽減可能な携帯電話機を提供する。【解決手段】  携帯電話機のボディ側面６には位置調整スライダ（蓋）７１と位置調整スライダ（溝）７２とからなる位置調整スライダが組込まれており、利用者は位置調整スライダのつまみとして取り付けられた側面ジョグダイヤル２を、側面の指１０２を使いながら操作する。側面ジョグダイヤル２と位置調整スライダ（蓋）７１とは、側面ジョグダイヤル２の回転軸が位置調整スライダ（蓋）７１に組込まれているため、１つのつまみとして動かすことができる。【選択図】      図２
2007004315.tif 000002
【特許請求の範囲】
【請求項１】
各々複数の文字が割り当てられた複数のキー部材を含み、前記複数のキー部材のいずれかが押下された時にその押下されたキー部材に割り当てられた複数の文字のいずれかを選択入力する文字選択入力装置であって、
筐体側面に設けられかつ前記複数のキー部材各々を用いて前記文字の選択入力を行う際に押下されたキー部材に割り当てられた複数の文字を順次スクロールさせるための第１のジョクダイヤルと、
前記第１のジョクダイヤルを前記筐体側面に沿って上下方向に移動自在とする位置調整スライダ部材とを有することを特徴とする文字選択入力装置。
【請求項２】
筐体背面に設けられかつ前記複数のキー部材各々を用いて前記文字の選択入力を行う際に押下されたキー部材に割り当てられた複数の文字を順次スクロールさせるための第２のジョクダイヤルと、
前記第２のジョクダイヤルを前記筐体背面において回動自在とする位置調整シャトルキー部材とを含むことを特徴とする請求項１記載の文字選択入力装置。
【請求項３】
前記文字の入力作業中に前記第１及び第２のジョグダイヤルのうちのいずれかを用いて当該文字の候補のスクロールを自在としたことを特徴とする請求項２記載の文字選択入力装置。
【請求項４】
各々複数の文字が割り当てられた複数のキー部材を含み、前記複数のキー部材のいずれかが押下された時にその押下されたキー部材に割り当てられた複数の文字のいずれかを選択入力する文字選択入力装置であって、
筐体背面に設けられかつ前記複数のキー部材各々を用いて前記文字の選択入力を行う際に押下されたキー部材に割り当てられた複数の文字を順次スクロールさせるためのジョクダイヤルと、
前記ジョクダイヤルを前記筐体背面において回動自在とする位置調整シャトルキー部材とを有することを特徴とする文字選択入力装置。
【請求項５】
前記ジョグダイヤルにて、押下されたキー部材に割り当てられた複数の文字に続いて他のキー部材に割り当てられた文字を順次スクロールさせることを特徴とする請求項１から請求項４のいずれか記載の文字選択入力装置。
【請求項６】
前記ジョグダイヤルにて、押下されたキー部材に割り当てられた複数の文字の前後に配列された文字を順次スクロールさせることを特徴とする請求項５記載の文字選択入力装置。
【請求項７】
請求項１から請求項６のいずれか記載の文字選択入力装置を用いることを特徴とする携帯電話機。
【請求項８】
各々複数の文字が割り当てられた複数のキー部材を含み、前記複数のキー部材のいずれかが押下された時にその押下されたキー部材に割り当てられた複数の文字のいずれかを選択入力する文字選択入力装置に用いる文字選択入力方法であって、
筐体側面に設けられかつ前記複数のキー部材各々を用いて前記文字の選択入力を行う際に押下されたキー部材に割り当てられた複数の文字を順次スクロールさせるための第１のジョクダイヤルと、前記第１のジョクダイヤルを前記筐体側面に沿って上下方向に移動自在とする位置調整スライダ部材とを設け、
前記位置調整スライダ部材を用いて前記第１のジョクダイヤルを最も操作しやすい位置に移動させることを特徴とする文字選択入力方法。
【請求項９】
筐体背面に設けられかつ前記複数のキー部材各々を用いて前記文字の選択入力を行う際に押下されたキー部材に割り当てられた複数の文字を順次スクロールさせるための第２のジョクダイヤルと、前記第２のジョクダイヤルを前記筐体背面において回動自在とする位置調整シャトルキー部材とを設け、
前記位置調整シャトルキー部材を用いて前記第２のジョクダイヤルを最も操作しやすい角度に回動させることを特徴とする請求項８記載の文字選択入力方法。
【請求項１０】
前記文字の入力作業中に前記第１及び第２のジョグダイヤルのうちのいずれかを用いて当該文字の候補のスクロールを自在としたことを特徴とする請求項９記載の文字選択入力方法。
【請求項１１】
各々複数の文字が割り当てられた複数のキー部材を含み、前記複数のキー部材のいずれかが押下された時にその押下されたキー部材に割り当てられた複数の文字のいずれかを選択入力する文字選択入力装置に用いる文字選択入力方法であって、
筐体背面に設けられかつ前記複数のキー部材各々を用いて前記文字の選択入力を行う際に押下されたキー部材に割り当てられた複数の文字を順次スクロールさせるためのジョクダイヤルと、前記ジョクダイヤルを前記筐体背面において回動自在とする位置調整シャトルキー部材とを設け、
前記位置調整シャトルキー部材を用いて前記第２のジョクダイヤルを最も操作しやすい角度に回動させることを特徴とする文字選択入力方法。
【請求項１２】
前記ジョグダイヤルにて、押下されたキー部材に割り当てられた複数の文字に続いて他のキー部材に割り当てられた文字を順次スクロールさせることを特徴とする請求項８から請求項１１のいずれか記載の文字選択入力方法。
【請求項１３】
前記ジョグダイヤルにて、押下されたキー部材に割り当てられた複数の文字の前後に配列された文字を順次スクロールさせることを特徴とする請求項１２記載の文字選択入力方法。
【発明の詳細な説明】
【技術分野】
【０００１】
本発明は文字選択入力装置、携帯電話機及びそれらに用いる文字選択入力方法に関し、特に携帯電話機における文字入力に関する。
【背景技術】
【０００２】
従来、携帯電話機においては、文字入力を行う際に、テンキー毎に割り当てられた複数の文字の中から１つを選ぶために、当該テンキーの押下を複数回繰り返す必要がある。また、携帯電話機には上記のテンキー以外にも、カーソルキーやファンクションキー等の複数のキーを備えており、利用者はこれらのキー全てを、親指だけを使って操作する必要がある。
【０００３】
そこで、従来の文字選択入力方法としては、携帯電話の背面に上下左右の４方向キーを配置し、背面の人差し指等を使って文字を選択入力する方法（例えば、特許文献１参照）、携帯電話の側面に配置したジョグダイヤルを使って文字を選択入力する方法（例えば、特許文献２参照）等が提案されている。
【０００４】
【特許文献１】特開２００３−３３０５９９号公報
【特許文献２】特開２００４−０７８８６１号公報
【発明の開示】
【発明が解決しようとする課題】
【０００５】
上述した従来の携帯電話機では、文字入力する際に、テンキーに割り当てられた複数の文字の中から１つを選ぶために、そのテンキーの押下を複数回繰り返す必要がある。例えば、“お”という文字を選ぶためには、まず「あ行」のテンキーを押下し、そのテンキーに割り当てられた文字群＜あいうえおぁぃぅぇぉ＞の５番目にある“お”の文字に到達するために、さらに４回同じテンキーを押下する必要がある。
【０００６】
また、他の例としては、“あ”，“い”，“あ”という３つの文字をこの順に選ぶ場合、２文字目の“い”の次の“あ”を探すために、“う”→“え”→…“ぇ”→“ぉ”→“あ”という順番に親指を押し続ける必要がある。このため、入力する文章が長くなればなるほど、文字入力の速度が落ちたり、入力ミスが増え、初めから文字を選び直さなければならず、効率の良い入力方法とは言えない。
【０００７】
さらに、携帯電話機には、電源ＯＮ／ＯＦＦキー，オンフックキー，オフフックキー，カーソルキー，各種の機能を使うためのファンクションキー等、テンキー以外にも複数のキーが備えられており、利用者はこれらのキー全てを、親指を使って操作している。このため、親指にかかる負担が大きくなるといった課題がある。
【０００８】
これらの文字入力に関する課題を解決するために、上記の特許文献１に記載の技術の場合、携帯電話機の背面に上下左右の４方向キーが配置され、背面の人差し指等を使って、「あ行」であれば“あ”以外の４文字“い”，“う”，“え”，“お”を選択入力可能な方法が提案されているが、４方向キーは背面の上部に固定されているため、利用者によっては人差し指等がうまくキーの位置に届かず、操作が行いにくかったり、背面のブラインド操作で上下左右に指を動かしながら文字を選択するため、手や指にかかる負担が大きくなり、使い勝手の良い方法とは言えない。
【０００９】
また、上記の特許文献２に記載の技術の場合には、携帯電話機の側面にジョグダイヤルを配置し、「あ行」のテンキーを押した後、ジョグダイヤルを回すことで、“あ”→“い”→“う”→“え”→“お”という順番に、“あ”以外の文字を選択入力可能な方法が提案されている。しかしながら、この方法では、テンキーとジョグダイヤルとの位置関係上、両手を使う必要があり、利用者が片手しか使用できない場面では操作を行うことができない。
【００１０】
つまり、上述した従来の文字選択入力方法では、入力する文章が長くなればなるほど、文字入力の速度が落ちたり、入力ミスが増えて初めから文字を選び直さなければならず、効率の良い入力方法とは言えない。
【００１１】
また、上述した従来の文字選択入力方法では、親指だけを使って操作しているため、親指や手にかかる負担が大きくなり過ぎるという問題がある。さらに、上述した従来の文字選択入力方法では、４方向キーが背面の上部に固定されているため、利用者によっては人差し指等がうまくキーの位置に届かず、操作が行いにくかったり、背面のブラインド操作で上下左右に指を動かしながら文字を選択するため、人差し指等にかかる負担が大きくなり、使い勝手の良い方法とは言えない。
【００１２】
さらにまた、上記の特許文献２に記載の技術の場合には、テンキーとジョグダイヤルキーの位置関係上、両手を使う必要があり、利用者が片手しか使用できない場面では操作を行うことができないという問題がある。
【００１３】
そこで、本発明の目的は上記の問題点を解消し、片手による文字入力の操作性及び入力効率を高めることができ、入力作業の負担を軽減することができる文字選択入力装置、携帯電話機及びそれらに用いる文字選択入力方法を提供することにある。
【課題を解決するための手段】
【００１４】
本発明による文字選択入力装置は、各々複数の文字が割り当てられた複数のキー部材を含み、前記複数のキー部材のいずれかが押下された時にその押下されたキー部材に割り当てられた複数の文字のいずれかを選択入力する文字選択入力装置であって、
筐体側面に設けられかつ前記複数のキー部材各々を用いて前記文字の選択入力を行う際に押下されたキー部材に割り当てられた複数の文字を順次スクロールさせるための第１のジョクダイヤルと、
前記第１のジョクダイヤルを前記筐体側面に沿って上下方向に移動自在とする位置調整スライダ部材とを備えている。
【００１５】
本発明による他の文字選択入力装置は、各々複数の文字が割り当てられた複数のキー部材を含み、前記複数のキー部材のいずれかが押下された時にその押下されたキー部材に割り当てられた複数の文字のいずれかを選択入力する文字選択入力装置であって、
筐体背面に設けられかつ前記複数のキー部材各々を用いて前記文字の選択入力を行う際に押下されたキー部材に割り当てられた複数の文字を順次スクロールさせるためのジョクダイヤルと、
前記ジョクダイヤルを前記筐体背面において回動自在とする位置調整シャトルキー部材とを備えている。
【００１６】
本発明による携帯電話機は、各々複数の文字が割り当てられた複数のキー部材を含み、前記複数のキー部材のいずれかが押下された時にその押下されたキー部材に割り当てられた複数の文字のいずれかを選択入力する文字選択入力装置であって、
筐体側面に設けられかつ前記複数のキー部材各々を用いて前記文字の選択入力を行う際に押下されたキー部材に割り当てられた複数の文字を順次スクロールさせるための第１のジョクダイヤルと、
前記第１のジョクダイヤルを前記筐体側面に沿って上下方向に移動自在とする位置調整スライダ部材とを有することを特徴とする文字選択入力装置を用いている。
【００１７】
本発明による他の携帯電話機は、各々複数の文字が割り当てられた複数のキー部材を含み、前記複数のキー部材のいずれかが押下された時にその押下されたキー部材に割り当てられた複数の文字のいずれかを選択入力する文字選択入力装置であって、
筐体背面に設けられかつ前記複数のキー部材各々を用いて前記文字の選択入力を行う際に押下されたキー部材に割り当てられた複数の文字を順次スクロールさせるためのジョクダイヤルと、
前記ジョクダイヤルを前記筐体背面において回動自在とする位置調整シャトルキー部材とを有することを特徴とする文字選択入力装置を用いている。
【００１８】
本発明による文字選択入力方法は、各々複数の文字が割り当てられた複数のキー部材を含み、前記複数のキー部材のいずれかが押下された時にその押下されたキー部材に割り当てられた複数の文字のいずれかを選択入力する文字選択入力装置に用いる文字選択入力方法であって、
筐体側面に設けられかつ前記複数のキー部材各々を用いて前記文字の選択入力を行う際に押下されたキー部材に割り当てられた複数の文字を順次スクロールさせるための第１のジョクダイヤルと、前記第１のジョクダイヤルを前記筐体側面に沿って上下方向に移動自在とする位置調整スライダ部材とを設け、
前記位置調整スライダ部材を用いて前記第１のジョクダイヤルを最も操作しやすい位置に移動させている。
【００１９】
本発明による他の文字選択入力方法は、各々複数の文字が割り当てられた複数のキー部材を含み、前記複数のキー部材のいずれかが押下された時にその押下されたキー部材に割り当てられた複数の文字のいずれかを選択入力する文字選択入力装置に用いる文字選択入力方法であって、
筐体背面に設けられかつ前記複数のキー部材各々を用いて前記文字の選択入力を行う際に押下されたキー部材に割り当てられた複数の文字を順次スクロールさせるためのジョクダイヤルと、前記ジョクダイヤルを前記筐体背面において回動自在とする位置調整シャトルキー部材とを設け、
前記位置調整シャトルキー部材を用いて前記第２のジョクダイヤルを最も操作しやすい角度に回動させている。
【００２０】
すなわち、本発明の文字選択入力装置は、携帯電話機の利用者が電子メールの作成や電話帳の登録を初めとした各種編集メニューを利用する際に必要な文字の入力方法に関し、キーに割り当てられた複数の文字の中から１つを選ぶために、親指で複数回１０キー（以下、テンキーとする）を押していたところを、ジョグダイヤルの滑らかな動きによる文字の選択に置き換えて親指の打数を減らすことで、文字入力の負荷を軽減する効果がある携帯電話機を提供可能としている。
【００２１】
ここで、ジョグダイヤルを携帯電話機の側面及び背面に配置し、携帯電話機の背面で使う指（通常は人差し指や中指）が操作しやすいよう、側面のジョグダイヤルはスライダを使って上下方向に可動なものとし、背面のジョグダイヤルはシャトルキーに組込んで、シャトルキーを回転させることで角度を調整可能としている。
【００２２】
これによって、本発明の文字選択入力装置では、指先の位置が各人で異なる利用者にとって、最も操作しやすい位置にジョグダイヤルを移動させることが可能な携帯電話機が提供可能となる。
【００２３】
より具体的に説明すると、本発明の文字選択入力装置では、側面に文字の選択入力を補助するためのジョグダイヤルを備え、このジョグダイヤルがスライダと連動して側面と平行に、上下方向に対して動かせるようになっている。これによって、本発明の文字選択入力装置では、側面のジョグダイヤルを操作する指の位置に個人差があっても、ジョグダイヤルをスライダで最も操作しやすい場所に位置調整することが可能となる。
【００２４】
また、本発明の文字選択入力装置では、背面上部にシャトルキーを備え、このシャトルキーの回転半径程度の長さのジョグダイヤルが組込まれて一体となって回転可能となっている。これによって、本発明の文字選択入力装置では、背面のジョグダイヤルを操作する指の位置に個人差があっても、シャトルキーを回すことで、ジョグダイヤルの位置を最も操作しやすい角度に調整することが可能となる。
【発明の効果】
【００２５】
本発明は、以下に述べるような構成及び動作とすることで、片手による文字入力の操作性及び入力効率を高めることができ、入力作業の負担を軽減することができるという効果が得られる。
【発明を実施するための最良の形態】
【００２６】
次に、本発明の実施例について図面を参照して説明する。図１は本発明の一実施例による携帯電話機を前面から見た図であり、図２は本発明の一実施例による携帯電話機を側面から見た図であり、図３は本発明の一実施例による携帯電話機を背面から見た図である。
【００２７】
図１において、本発明の一実施例による携帯電話機は、キー操作と表示とが可能なボディ前面１の表面に、テンキーを含む文字入力キー３と、上下左右のカーソル移動や各種機能を選ぶためのカーソル／ファンクションキー４と、ひらがな，カタカナ，アルファベット等の各種入力モードを切替えるための入力モード切替キー５とを備えている。
【００２８】
また、本発明の一実施例による携帯電話機の側面には、文字の選択入力を補助するための側面ジョグダイヤル２を備えている。文字入力キー３の操作は、前面の指１０１（通常は親指）で行い、側面ジョグダイヤル２の操作は、側面の指１０２（通常は中指）で行う。
【００２９】
図２において、本発明の一実施例による携帯電話機のボディ側面６には位置調整スライダ（蓋）７１と位置調整スライダ（溝）７２とからなる位置調整スライダが組込まれており、利用者は位置調整スライダのつまみとして取り付けられた側面ジョグダイヤル２を、側面の指１０２を使いながら操作する。
【００３０】
ここで、側面ジョグダイヤル２と位置調整スライダ（蓋）７１とは、側面ジョグダイヤル２の回転軸が位置調整スライダ（蓋）７１に組込まれているため、１つのつまみとして動かすことができる。
【００３１】
図３において、本発明の一実施例による携帯電話機のボディ背面８の表面には位置調整シャトルキー９が設置されており、位置調整つまみ１１によって回転させることができる。位置調整シャトルキー９は円盤状となっており、その円盤状の中心から外側に向けて、回転半径程度の長さの背面ジョグダイヤル１０が取り付けられている。
【００３２】
図４は図１及び図２に示す側面ジョグダイヤル２及び図３に示す背面ジョグダイヤル１０の操作を示す図である。図４において、側面の指１０２は携帯電話機の背面を通って側面ジョグダイヤル２を操作しようとしている。つまり、側面の指１０２は、図２に示すように、側面ジョグダイヤル２の上下の位置を調節した後で、側面ジョグダイヤル２を転がしながら文字を選択する。
【００３３】
一方、背面の指１０３は携帯電話機の背面上部の位置調整シャトルキー９を操作しようとしている。つまり、背面の指１０３は、位置調整つまみ１１に指を引っ掛けながら、位置調整シャトルキー９を回転させて背面ジョグダイヤル１０の角度を調整する。これによって、背面の指１０３が最も指を動かしやすい位置に背面ジョグダイヤル１０を配置することができる。その後、背面の指１０３は、背面ジョグダイヤル１０を転がしながら文字を選択する。
【００３４】
図５は図１及び図２に示す側面ジョグダイヤル２による文字入力操作を示す図である。図５においては、本発明の一実施例による携帯電話機を使って「あ行」の文字を選択する場合の操作を示している。
【００３５】
文章の作成中に“お”という文字を入力したい場合、まず利用者は「あ行」入力キー３０を１回だけ押す。すると、携帯電話機の画面上に選択候補の文字群１２が現れる。図５では、「あ行」の先頭文字“あ”から３文字分のリスト＜あいう＞がカーソル位置から下方に向けてドロップダウンで表示されている。
【００３６】
利用者は側面の指１０２を使って、予め側面ジョグダイヤル２を上下に動かし、最もジョグダイヤルを回しやすい位置に調整しておく。その後、利用者が側面ジョグダイヤル２を前から後ろに回すと、文字群１２はスクロール方向２０の向き（上方向）に１文字づつシフトしながら表示を変えていく。本実施例では「あ行」の文字列は、＜あいうえおぁぃぅぇぉ＞と定義しているので、順番に表示される文字列は、＜いうえ＞→＜うえお＞→…＜おぁぃ＞→…＜ぅぇぉ＞→…＜ぉあい＞という具合に変化し、「あ行」の文字列が繰り返される。
【００３７】
このようにして所望の文字“お”がカーソル位置に現れるまで側面ジョグダイヤル２を回した後に、カーソル／ファンクションキー４で文字を確定すると、“お”という文字の選択入力が完了する。
【００３８】
上述した操作において、利用者は従来からの文字選択方法をそのまま使うことも可能であり、その場合には「あ行」入力キー３０を５回押し続ければ、“お”の文字に到達できる。また、カーソル／ファンクションキー４の上下方向のキーを文字群１２のシフトに使うことも可能であり、例えば下方向のカーソルキーを複数回押せば、本実施例の側面ジョグダイヤル２を操作した場合と同様に、文字群１２をシフトさせながら“お”の文字に到達することができる。
【００３９】
しかしながら、本実施例の側面ジョグダイヤル２を使用した文字選択方法のほうが、手や指にかかる負荷が分散されて、文字入力作業の負担を軽減することは明らかである。
【００４０】
さらに、本実施例における文字の選択時に、利用者が側面ジョグダイヤル２を後ろから前に回した場合には、スクロール方向２０とは逆の方向（下方向）に選択候補の文字群が現れる。この時、順番に表示される文字列は、＜ぉあい＞→＜ぇぉあ＞→…＜ぃぅぇ＞→…＜えおぁ＞→…＜いうえ＞という具合に変化し、「あ行」の文字列が繰り返される。尚、本実施例では文字群１２に含まれる文字数を３文字としているが、これを画面や文字のサイズに合わせて増減させても構わないし、また、文字群１２をカーソル位置から上方に向けて現れるようにしても構わない。
【００４１】
次に、図４に示す背面ジョグダイヤル１０を使用する場合の文字の選択方法について説明する。利用者が背面の指１０３を使って背面ジョグダイヤル１０を最も操作しやすい位置に調整した後、背面ジョグダイヤル１０を操作することで、側面ジョグダイヤル２と全く同じ操作で所望の文字を選択することができる。
【００４２】
利用者は携帯電話の背面におけるブラインド操作のやり易さに応じて、側面ジョグダイヤル２または背面ジョグダイヤル１０を自由に選びながら、文字の選択入力作業を進めることができる。
【００４３】
このように、本実施例では、親指のキー打数を減らすためにジョグダイヤルを補助入力装置として用意し、テンキーと併用することとし、これらのジョグダイヤルをスライダやシャトルキーと組合わせて携帯電話機の側面及び背面に配置することによって、利用者にとって手や指にかかる負荷が最も小さくなる位置にジョグダイヤルを調整することができ、側面及び背面のジョグダイヤルのうちのいずれを使用しても構わないため、片手による文字入力の操作性及び入力効率を高めることができ、入力作業の負担を軽減することができる。
【００４４】
本実施例では、ジョグダイヤルを回しながら文字を選ぶ際に、他の文字入力キーに割り当てられた文字も表示させるようにすれば、親指がキーを押す回数をより一層減らすことができる。
【００４５】
図６は本発明の一実施例による携帯電話機における選択候補の文字列パターンを示す図である。図６において、スクロール文字列Ａパターン１２１では、「あ行」の文字列の検索が終わると、再び「あ行」の文字列が現れ、以後も繰り返される。
【００４６】
図７は本発明の一実施例による携帯電話機における選択候補の他の文字列パターンを示す図である。図７において、スクロール文字列Ｂパターン１２２では、「あ行」の文字列の検索が終わると、続けて「か行」の文字列が現れるようになっている。また、スクロール方向を逆にすれば、「あ行」に続けて「わ行」の文字列が現れるようになっている。
【００４７】
利用者にとっては、「あ行」に近い行の文字はジョグダイヤルで探し、「あ行」から遠い行の文字は文字入力キーで探すといった使い分けができるため、親指でキーを押す回数がさらに減り、手や指にかかる負担を軽減する効果がある。
【００４８】
また、図４に示す位置調整シャトルキー９に位置調整スライダを取付けて上下方向に可動なものとし、背面ジョグダイヤル１０を回転方向だけでなく上下方向にも動かして、利用者がさらに操作し易いような位置調整を行うことができる構成としても構わない。
【００４９】
さらに、上記の説明では、携帯電話機に文字選択入力装置を用いる場合について述べたが、上述した文字選択入力装置をモバイルＰＣ（パーソナルコンピュータ）やＰＤＡ（Ｐｅｒｓｏｎａｌ  Ｄｉｇｉｔａｌ  Ａｓｓｉｓｔａｎｔ）等の文字入力を行う機器に適用することも可能である。
【図面の簡単な説明】
【００５０】
【図１】本発明の一実施例による携帯電話機を前面から見た図である。
【図２】本発明の一実施例による携帯電話機を側面から見た図である。
【図３】本発明の一実施例による携帯電話機を背面から見た図である。
【図４】図１及び図２に示す側面ジョグダイヤル及び図３に示す背面ジョグダイヤルの操作を示す図である。
【図５】図１及び図２に示す側面ジョグダイヤルによる文字入力操作を示す図である。
【図６】本発明の一実施例による携帯電話機における選択候補の文字列パターンを示す図である。
【図７】本発明の一実施例による携帯電話機における選択候補の他の文字列パターンを示す図である。
【符号の説明】
【００５１】
１  ボディ前面
２  側面ジョグダイヤル
３  文字入力キー
４  カーソル／ファンクションキー
５  入力モード切替キー
６  ボディ側面
８  ボディ背面
９  位置調整シャトルキー
１０  背面ジョグダイヤル
１１  位置調整つまみ
１２  文字群
２０  スクロール方向
３０  「あ行」入力キー
７１  位置調整スライダー（蓋）
７２  位置調整スライダー（溝）
１０１  前面の指
１０２  側面の指
１０３  背面の指
１２１  スクロール文字列Ａパターン
１２２  スクロール文字列Ｂパターン
【図１】
2007004315.tif 000003
【図２】
2007004315.tif 000004
【図３】
2007004315.tif 000005
【図４】
2007004315.tif 000006
【図５】
2007004315.tif 000007
【図６】
2007004315.tif 000008
【図７】
2007004315.tif 000009